(57)【要約】【課題】機器本体の一つの面に取り付けられた記録媒体が破損することを防止できる情報処理装置を提供する。【解決手段】ＡＶ機器１は機器本体２と機器本体２の前面２ａに設けられかつＵＳＢメモリ１５が取り付けられるコネクタ部１８と回転支持部１９と回転規制許容部２０と状態維持部を備えている。回転支持部１９はＵＳＢメモリ１５を前面２ａから立設した状態と前面２ａに平行な状態とに亘ってコネクタ部１８を回転自在に支持する。回転規制許容部２０はコネクタ部１８にＵＳＢメモリ１５が取り付けられていない状態ではコネクタ部１８の回転を規制しコネクタ部１８にＵＳＢメモリ１５が取り付けられるとコネクタ部１８の回転を許容する。状態維持部は前面２ａと平行な状態に位置付けられたＵＳＢメモリ１５を当該前面２ａと平行な状態に保つ。【選択図】図７
2009093457.tif 000002
【特許請求の範囲】
【請求項１】
機器本体と、
前記機器本体の一つの面に設けられかつ携帯型の記録媒体が取り付けられるコネクタ部と、を備えた情報処理装置において、
前記携帯型の記録媒体を前記一つの面から立設した状態と、前記携帯型の記録媒体を前記一つの面と平行な状態とに亘って、前記コネクタ部を回転自在に支持する回転支持部を備えたことを特徴とする情報処理装置。
【請求項２】
前記コネクタ部に前記携帯型の記録媒体が取り付けられていない状態では、前記コネクタ部の回転を規制し、前記コネクタ部に前記携帯型の記録媒体が取り付けられると、前記コネクタ部の回転を許容する回転規制許容部を備えたことを特徴とする請求項１記載の情報処理装置。
【請求項３】
前記一つの面と平行な状態に位置付けられた前記携帯型の記録媒体を、当該一つの面と平行な状態に保つ状態維持部を備えたことを特徴とする請求項１又は請求項２記載の情報処理装置。
【発明の詳細な説明】
【技術分野】
【０００１】
本発明は、例えば、ＡＶ機器などの各種の情報処理装置に関し、特に、ＵＳＢ（Universal Serial Bus）メモリなどの携帯型の記録媒体が取り付けられて、当該記録媒体の情報を再生可能な情報処理装置に関する。
【背景技術】
【０００２】
例えば、自動車には、ＵＳＢ（Universal Serial Bus）メモリなどの携帯型の記録媒体が取り付けられて当該記録媒体の情報を再生可能なＡＶ機器などの情報処理装置が用いられることがある。この種の情報処理装置は、その機器本体の一つの面としての前面などに前述した記録媒体を取り付けて、当該記録媒体と電気的に接続するためのコネクタ部を固定的に設けている。このため、情報処理装置は、前記前面から恰も立設した状態で前記記録媒体が取り付けられて、当該記録媒体の情報を再生してきた。
【発明の開示】
【発明が解決しようとする課題】
【０００３】
前述した従来の情報処理装置では、前面から恰も立設した状態で前記記録媒体が取り付けられるので、勿論、当該記録媒体が前記前面から突出した状態となっていた。このため、前記自動車の乗員などが記録媒体に接触して、最悪の場合には、当該記録媒体を破損させるおそれがあった。
【０００４】
したがって、本発明の目的は、例えば、機器本体の一つの面に取り付けられた記録媒体が破損することを防止できる情報処理装置を提供することにある。
【課題を解決するための手段】
【０００５】
前述した課題を解決し目的を達成するために、請求項１に記載の本発明の情報処理装置は、機器本体と、前記機器本体の一つの面に設けられかつ携帯型の記録媒体が取り付けられるコネクタ部と、を備えた情報処理装置において、前記携帯型の記録媒体を前記一つの面から立設した状態と、前記携帯型の記録媒体を前記一つの面と平行な状態とに亘って、前記コネクタ部を回転自在に支持する回転支持部を備えたことを特徴としている。
【発明を実施するための最良の形態】
【０００６】
以下、本発明の一実施形態を説明する。本発明の一実施形態にかかる情報処理装置は、携帯型の記録媒体が取り付けられるコネクタ部を機器本体に回転自在に設けることで、記録媒体を機器本体の一つの面と平行に位置付けることを可能として、機器本体に取り付けられた記録媒体に不用意に接触することを防止することで、当該記録媒体の破損を防止することを可能とする。
【０００７】
また、記録媒体の取り付け前のコネクタ部の回転を規制し、記録媒体の取り付け後のコネクタ部の回転を許容する回転規制許容部を備えても良い。この場合、記録媒体の取り付け前にコネクタ部が不用意に回転しないので、確実にコネクタ部に記録媒体を取り付けることができる。
【０００８】
さらに、機器本体の一つの面と平行に位置付けられた状態に記録媒体を保つ状態維持部を備えても良い。この場合、機器本体に取り付けられた記録媒体が、不用意に一つの面から突出してしまうことを防止できるので、より確実に当該記録媒体の破損を防止できる。
【実施例】
【０００９】
本発明の一実施例を、図１ないし図７に基づいて説明する。本発明の一実施例に係る情報処理装置としてのＡＶ（Audio-Visual）機器１は、移動体としての自動車のインストルメントパネル（以下、インパネと呼ぶ）などに装着される。
【００１０】
ＡＶ機器１は、図１及び図２に示すように、機器本体２と、再生装置としてのＣＤ（Compact Disk）プレーヤ３と、再生装置としてのＭＤ（Mini disc）プレーヤ４と、ラジオ放送を受信するＡＭ／ＦＭチューナ５と、再生装置としてのＵＳＢ（Universal Serial Bus）プレーヤ１４と、表示部６と、操作部７とを備えている。
【００１１】
機器本体２は、箱状に形成されかつ前述したインパネに取り付けられる。機器本体２の図１及び図２中手前側に位置する一つの面２ａ（以下、前面と呼ぶ）には、ＣＤ用挿入口８と、ＭＤ用挿入口９と、操作部用孔１３とが開口している。なお、前面２ａは、機器本体２がインパネに取り付けられると、外部に露出するとともに乗員（使用者ともいう）に相対する面である。ＣＤ用挿入口８は、内側にＣＤを通して、該ＣＤを機器本体２即ちＣＤプレーヤ３に出し入れする。ＭＤ用挿入口９は、内側にＭＤを通して、該ＭＤを機器本体２即ちＭＤプレーヤ４に出し入れする。操作部用孔１３は、前記前面２ａを貫通している。操作部用孔１３は、操作部７の後述する押しボタン１１を収容する。
【００１２】
ＣＤプレーヤ３は、機器本体２に挿入されたＣＤの情報を読み出して、音声として出力する。ＭＤプレーヤ４は、機器本体２に挿入されたＭＤの情報を読み出して、音声として出力する。ＡＭ／ＦＭチューナ５は、ラジオ放送を受信して、音声として出力する。ＵＳＢプレーヤ１４は、機器本体２の前面２ａに取り付けられた携帯型の記録媒体としてのＵＳＢメモリ１５の情報を読み出して、音声として出力する。これらのプレーヤ３，４，１４及びＡＭ／ＦＭチューナ５は、操作部７に設けられた後述する押しボタン１１等を使用者が押圧することによって動作する。
【００１３】
表示部６は、前述した前面２ａに取り付けられた蛍光表示管などからなる情報を表示する表示パネル１０を備えている。表示部６は、表示パネル１０に再生中のＣＤ、ＭＤやＵＳＢメモリ１５のプログラムやＡＭ／ＦＭチューナ５が受信中の放送局名などの情報を表示する。
【００１４】
操作部７は、一つの複合スイッチ１２と、複数の押しボタン１１などを備えている。複合スイッチ１２は、前記前面２ａに対し直交する方向に沿って移動自在に設けられ、かつ前面２ａに対し直交する軸芯回りに回転自在に支持された操作ノブ１６などを備えている。操作ノブ１６は、前面２ａから突出する方向に付勢されているとともに、前記前面２ａなどに係止して該前面２ａから脱落することが規制されている。
【００１５】
複合スイッチ１２は、操作ノブ１６が押圧されることで、ＡＶ機器１全体の電源をオン・オフし、操作ノブ１６が軸芯回りに回転されることで、再生中又は受信中のプログラムの音量を調整するために用いられる。
【００１６】
押しボタン１１は、前面２ａから突没自在に、操作部用孔１３内に収容されている。また、押しボタン１１は、機器本体２の前面２ａから突出する方向に付勢されているとともに、前記前面２ａなどに係止して該前面２ａから脱落することが規制されている。押しボタン１１は、押圧操作されることにより、機器本体２内に収容された各種プレーヤ３，４，１４やＡＭ／ＦＭチューナ５等を動作させる。
【００１７】
また、前記前面２ａには、図３に示すように、前述したＵＳＢメモリ１５が取り付けられるメモリ接続部４０が設けられている。ＵＳＢメモリ１５は、棒状に形成され、その長手方向の一端に位置する端面が前述したメモリ接続部４０に取り付けられる。
【００１８】
メモリ接続部４０は、図３に示すように、接続用凹み１７と、コネクタ部１８と、回転支持部１９と、回転規制許容部２０と、状態維持部２１とを備えている。接続用凹み１７は、前記前面２ａから凹に形成され、図３に示すように、当該前面２ａよりも機器本体２の奥でかつ当該前面２ａと平行に配置された奥壁２２と、当該奥壁２２と前記前面２ａとの双方に連なる複数の連結壁２３とを備えている。
【００１９】
コネクタ部１８は、接続用凹み１７内に収容されている。コネクタ部１８は、図７に示すように、コネクタ２４と、可動ケース２５とを備えている。コネクタ２４は、前記ＵＳＢメモリ１５が取り付けられるとともに、当該ＵＳＢメモリ１５とＵＳＢプレーヤ１４とを接続するための端子などを備えている。可動ケース２５は、有低筒状に形成されており、その内側にコネクタ２４を収容している。可動ケース２５は、その開口からコネクタ２４のＵＳＢメモリ１５が取り付けられる部分を露出した格好で、当該コネクタ２４を収容している。
【００２０】
回転支持部１９は、回転軸２６と、回転用ガイド溝２７とを備えている。回転軸２６は、円柱状に形成され、可動ケース２５の外面から立設している。回転軸２６は、可動ケース２５の前面２ａから離れた側の端部に設けられている。回転軸２６は、図示例では、二つ設けられ、互いに同軸となる位置に配置されている。回転用ガイド溝２７は、複数の連結壁２３のうちの互いに相対する連結壁２３に設けられ、勿論、これらの連結壁２３の表面から凹に形成されている。回転用ガイド溝２７は、後述するＵＳＢメモリ１５が前面２ａから立設した状態において、その長手方向が前面２ａに対して直交する方向と平行な長孔に形成されている。
【００２１】
回転支持部１９は、回転用ガイド溝２７内に回転軸２６を位置付けることで、コネクタ部１８のコネクタ２４に取り付けられたＵＳＢメモリ１５が前面２ａから立設した状態（図１に示すＵＳＢメモリ１５の長手方向と前面２ａとの交差（図示例では直交）する状態）と、前記ＵＳＢメモリ１５が前面２ａと平行な状態（図２に示すＵＳＢメモリ１５の長手方向と前面２ａとが平行な状態）と、に亘って、前記回転軸２６を中心としてコネクタ部１８を回転自在に支持する。
【００２２】
回転規制許容部２０は、ガイド軸２８と、ガイド溝２９と、付勢手段としてのコイルばね３０とを備えている。ガイド軸２８は、円柱状に形成され、可動ケース２５の外面から立設している。回転軸２６は、可動ケース２５の前面２ａ寄りの端部に設けられている。ガイド軸２８は、図示例では、二つ設けられ、互いに同軸となる位置に配置されている。また、ガイド軸２８は、ＵＳＢメモリ１５が前面２ａから立設した状態において、前面２ａに対して直交する方向に沿って回転軸２６と並ぶ位置に配置されている。
【００２３】
ガイド溝２９は、複数の連結壁２３のうちの回転用ガイド溝２７が設けられた互いに相対する連結壁２３に設けられ、勿論、これらの連結壁２３の表面から凹に形成されている。ガイド溝２９は、図６に示すように、直線状部３１と、この直線状部３１に連なる円弧状部３２とを備えている。直線状部３１は、ＵＳＢメモリ１５が前面２ａから立設した状態において、前面２ａに対して直交する方向に沿って直線状に延在している。円弧状部３２は、ＵＳＢメモリ１５が前面２ａから立設した状態において、直線状部３１の前面２ａから離れた側の端部に連なり、かつ回転用ガイド溝２７の前面２ａから離れた側の端部を中心とした円弧状に延在している。ガイド溝２９は、その内側にガイド軸２８を位置付ける。
【００２４】
コイルばね３０は、図７に示すように、一端がガイド軸２８に取り付けられ、他端が連結壁２３の前面２ａの近傍に取り付けられて、ガイド軸２８即ちコネクタ部１８を前面２ａに向かって付勢して、ガイド軸２８をガイド溝２９の直線状部３１内に位置付け、回転軸２６を回転用ガイド溝２７の前面２ａ寄りの端部に位置付けている。
【００２５】
回転規制許容部２０は、コイルばね３０がコネクタ部１８を前面２ａに向かって付勢して、ガイド軸２８をガイド溝２９の直線状部３１内に位置付け、回転軸２６を回転用ガイド溝２７の前面２ａ寄りの端部に位置付けることで、コネクタ部１８のコネクタ２４にＵＳＢメモリ１５が取り付けられていない状態では、当該コネクタ部１８の回転を規制する。
【００２６】
また、回転規制許容部２０は、コネクタ部１８のコネクタ２４にＵＳＢメモリ１５が取り付けられて、ＵＳＢメモリ１５がコイルばね３０の不勢力に抗して機器本体２の奥に向かって押圧されることで、回転軸２６を回転用ガイド溝２７の前面２ａから離れた側の端部に位置付け、ガイド軸２８をガイド溝２９の直線状部３１と円弧状部３２との交差点内に位置付けることで、回転軸２６を中心としてコネクタ部１８が回転することを許容する。このように、回転規制許容部２０は、コネクタ部１８にＵＳＢメモリ１５が取り付けられると、ＵＳＢメモリ１５が押圧されることで、コネクタ部１８の回転を許容する。
【００２７】
状態維持部２１は、係止爪３３と、係止受け部３４とを備えている。係止爪３３は、可動ケース２５の回転軸２６とガイド軸２８との双方が設けられていない外面から立設している。係止爪３３は、ＵＳＢメモリ１５が前面２ａと平行な状態に位置付けられると、奥壁２２と相対する可動ケース２５の外面に設けられている。係止爪３３は、図示例では、ＵＳＢメモリ１５が前面２ａから立設した状態において、可動ケース２５の前面２ａ寄りの端に設けられている。係止受け部３４は、接続用凹み１７の奥壁２２に設けられ、係止爪３３が係脱（係止、離脱）自在となっている。なお、係止爪３３を前面２ａに、係止受け部３４を可動ケース２５に設けても良い。
【００２８】
状態維持部２１は、ＵＳＢメモリ１５が前面２ａと平行な状態に位置付けられると、係止爪３３が係止受け部３４に係止して、当該ＵＳＢメモリ１５を前面２ａと平行な状態に保つ。
【００２９】
前述したメモリ接続部４０は、図３に示すように、コネクタ部１８のコネクタ２４にＵＳＢメモリ１５が取り付けられていない状態では、回転規制許容部２０のガイド軸２８（図６中に実線で示す）がガイド溝２９の直線状部３１内に位置付けられ、かつ回転支持部１９の回転軸２６（図６中に実線で示す）が回転用ガイド溝２７の前面２ａ寄りの端部に位置付けられて、コネクタ２４のＵＳＢメモリ１５が取り付けられる部分が接続用凹み１７を通して露出する位置に位置決めされている。
【００３０】
そして、図４に示すように、コネクタ２４にＵＳＢメモリ１５が取り付けられて、コイルばね３０の付勢力に抗してＵＳＢメモリ１５などが機器本体２の奥に向かって押圧されると、ガイド軸２８（図６中一点鎖線で示す）が直線状部３１内を移動して直線状部３１と円弧状部３２の交差点に位置し、回転軸２６（図６中一点鎖線で示す）が回転用ガイド溝２７の前面２ａから離れた側の端部に位置付けられる。すると、前面２ａから立設した状態のＵＳＢメモリ１５が、回転軸２６を中心として回転自在となる。
【００３１】
その後、ＵＳＢメモリ１５を回転軸２６を中心として回転すると、ガイド軸２８（図６中点線で示す）が円弧状部３２内を移動して円弧状部３２の直線状部３１から離れた側の端部に位置して、係止爪３３が係止受け部３４に係止して、図５に示すように、ＵＳＢメモリ１５が接続用凹み１７内に収容されて、前面２ａと平行な状態に位置付けられて、当該状態が保たれる。
【００３２】
また、ＵＳＢメモリ１５を機器本体２から取り外す際には、係止爪３３の係止受け部３４への係止を解除して、先ほどとは逆向きにＵＳＢメモリ１５を回転させて、前面２ａから立設した状態に位置付けた後、コネクタ部１８から取り外す。
【００３３】
本実施例によれば、ＵＳＢメモリ１５が取り付けられるコネクタ部１８を機器本体２に回転自在に設けることで、ＵＳＢメモリ１５を機器本体２の前面２ａと平行に位置付けることを可能として、機器本体２に取り付けられたＵＳＢメモリ１５に不用意に接触することを防止でき、当該ＵＳＢメモリ１５の破損を防止することができる。
【００３４】
また、ＵＳＢメモリ１５の取り付け前のコネクタ部１８の回転を規制し、ＵＳＢメモリ１５の取り付け後のコネクタ部１８の回転を許容する回転規制許容部２０を備えている。このため、ＵＳＢメモリ１５の取り付け前にコネクタ部１８が不用意に回転しないので、確実にコネクタ部１８にＵＳＢメモリ１５を取り付けることができる。
【００３５】
さらに、機器本体２の前面２ａと平行に位置付けられた状態にＵＳＢメモリ１５を保つ状態維持部２１を備えている。このため、機器本体２に取り付けられたＵＳＢメモリ１５が、不用意に前面２ａから突出してしまうことを防止できるので、より確実に当該ＵＳＢメモリ１５の破損を防止できる。
【００３６】
本発明では、ＵＳＢメモリ１５の他に種々の携帯型の記録媒体を機器本体２に取り付けるようにしても良い。また、ＵＳＢメモリなどの携帯型の記録媒体を前面２ａと平行な状態に位置付けた際に、前述した接続用凹み１７内に収容しなくても良い。
【００３７】
前述した実施例では、情報処理装置として自動車に取り付けられるＡＶ機器１を示している。しかしながら、本発明では、ＡＶ機器１に限らず、ポータブルコンピュータや携帯電話などの種々の情報処理装置に適用しても良い。
【００３８】
前述した実施例によれば、以下のＡＶ機器１が得られる。
【００３９】
（付記）  機器本体２と、
前記機器本体２の前面２ａに設けられかつＵＳＢメモリ１５が取り付けられるコネクタ部１８と、を備えたＡＶ機器１において、
前記ＵＳＢメモリ１５を前記前面２ａから立設した状態と、前記ＵＳＢメモリ１５を前記前面２ａと平行な状態とに亘って、前記コネクタ部１８を回転自在に支持する回転支持部１９を備えたことを特徴とするＡＶ機器１。
【００４０】
付記によれば、ＵＳＢメモリ１５が取り付けられるコネクタ部１８を機器本体２に回転自在に設けることで、ＵＳＢメモリ１５を機器本体２の前面２ａと平行に位置付けることを可能として、機器本体２に取り付けられたＵＳＢメモリ１５に不用意に接触することを防止でき、当該ＵＳＢメモリ１５の破損を防止することができる。
【００４１】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００４２】
【図１】本発明の一実施例にかかる情報処理装置としてのＡＶ機器を示す斜視図である。
【図２】図１に示されたＡＶ機器に取り付けられたＵＳＢメモリが機器本体の前面と平行な状態を示す斜視図である。
【図３】図１に示されたＡＶ機器のメモリ接続部を示す斜視図である。
【図４】図３に示されたメモリ接続部のコネクタ部にＵＳＢメモリが取り付けられた状態を示す斜視図である。
【図５】図４に示されたメモリ接続部のコネクタ部が回転した状態を示す斜視図である。
【図６】図３に示されたメモリ接続部のガイド溝内のガイド軸の移動状況などを示す説明図である。
【図７】図３中のＶＩＩ−ＶＩＩ線に沿う断面図である。
【符号の説明】
【００４３】
１  ＡＶ機器（情報処理装置）
２  機器本体
２ａ  前面（一つの面）
１５  ＵＳＢメモリ（携帯型の記録媒体）
１８  コネクタ部
１９  回転支持部
２０  回転規制許容部
２１  状態維持部
４０  メモリ接続部
【図１】
2009093457.tif 000003
【図２】
2009093457.tif 000004
【図３】
2009093457.tif 000005
【図４】
2009093457.tif 000006
【図５】
2009093457.tif 000007
【図６】
2009093457.tif 000008
【図７】
2009093457.tif 000009